(57)【要約】【課題】冷凍機とは異なる制御ロジックで動作する起動盤を備えた冷凍機システムの制御装置、冷凍機システム、冷凍機システムの制御方法、及び冷凍機システムの制御プログラムを提供することを目的とする。【解決手段】モータ７２により回転される圧縮機６０を備えるターボ冷凍機１１と、ターボ冷凍機１１に備えられ、該ターボ冷凍機１１の操作及び状態表示を行う操作盤２０と、モータ７２に電源を供給し、該モータ７２を始動する起動盤２０と、を備えた冷凍機システム１の冷凍機制御装置５０であって、起動盤１０は、ターボ冷凍機１１による起動指令に対し、圧縮機６０のモータ７２に電源供給を開始し始動させ、ターボ冷凍機１１へ起動アンサー及び起動完了信号を出力し、ターボ冷凍機１１の停止後に、引き続き起動アンサー及び／又は起動完了信号が出力されている場合は、操作盤２０に異常状態を出力する。【選択図】図１
2018204817.tif 000002
【特許請求の範囲】
【請求項１】
モータにより回転される圧縮機を備える冷凍機と、
前記冷凍機に備えられ、該冷凍機の操作及び状態表示を行う操作盤と、
前記モータに電源を供給し、該モータを始動する起動盤と、を備えた冷凍機システムの制御装置であって、
前記起動盤は、前記冷凍機による起動指令に対し、前記圧縮機の前記モータに電源供給を開始し始動させ、前記冷凍機へモータ起動信号及び起動完了信号を出力し、
前記冷凍機の停止後に、引き続き前記モータ起動信号及び／又は前記起動完了信号が出力されている場合は、前記操作盤に異常状態を出力する冷凍機システムの制御装置。
【請求項２】
モータにより回転される圧縮機を備える冷凍機と、
前記冷凍機に備えられ、該冷凍機の操作及び状態表示を行う操作盤と、
前記モータに電源を供給し、該モータを始動する起動盤と、を備えた冷凍機システムの制御装置であって、
前記起動盤は、前記冷凍機による起動指令に対し、前記圧縮機の前記モータに電源供給を開始し始動させ、前記冷凍機へモータ起動信号及び起動完了信号を出力し、
前記冷凍機の停止後に、引き続き前記モータ起動信号及び／又は前記起動完了信号が出力されている場合は、前記操作盤から前記起動盤に対して緊急停止指令を出力する冷凍機システムの制御装置。
【請求項３】
前記冷凍機の停止後に、引き続き前記モータ起動信号及び／又は前記起動完了信号が出力されている場合は、前記操作盤から前記起動盤に対して緊急停止指令を出力する請求項１に記載の冷凍機システムの制御装置。
【請求項４】
前記緊急停止指令は、メーク信号である請求項２または３に記載の冷凍機システムの制御装置。
【請求項５】
前記冷凍機の停止後に、引き続き前記モータ起動信号及び／又は前記起動完了信号が出力されている場合は、前記圧縮機に接続されている蒸発器に備えられた冷水ポンプ及び凝縮器に備えられた冷却水ポンプの運転を継続する請求項１から請求項３のいずれかに記載の冷凍機システムの制御装置。
【請求項６】
前記冷凍機の停止後に、引き続き前記モータ起動信号及び／又は前記起動完了信号が出力されている場合は、前記圧縮機に備えられ、潤滑油を供給する油ポンプの運転を継続する請求項１から請求項４のいずれかに記載の冷凍機システムの制御装置。
【請求項７】
前記冷凍機の停止後に、引き続き前記モータ起動信号及び／又は前記起動完了信号が出力されている場合は、前記冷凍機の冷水出口温度が冷水入口温度と等しくなるように前記圧縮機の冷媒制御弁を制御する請求項１から請求項５のいずれかに記載の冷凍機システムの制御装置。
【請求項８】
請求項１から請求項７に記載の冷凍機システムの制御装置を備えた冷凍機システム。
【請求項９】
モータにより回転される圧縮機を備える冷凍機と、
前記冷凍機に備えられ、該冷凍機の操作及び状態表示を行う操作盤と、
前記モータに電源を供給し、該モータを始動する起動盤と、を備えた冷凍機システムの制御方法であって、
前記起動盤は、前記冷凍機による起動指令に対し、前記圧縮機の前記モータに電源供給を開始し始動させ、前記冷凍機へモータ起動信号及び起動完了信号を出力し、
前記冷凍機の停止後に、引き続き前記モータ起動信号及び／又は前記起動完了信号が出力されている場合は、前記操作盤に異常状態を出力する工程を備える冷凍機システムの制御方法。
【請求項１０】
モータにより回転される圧縮機を備える冷凍機と、
前記冷凍機に備えられ、該冷凍機の操作及び状態表示を行う操作盤と、
前記モータに電源を供給し、該モータを始動する起動盤と、を備えた冷凍機システムの制御プログラムであって、
前記起動盤は、前記冷凍機による起動指令に対し、前記圧縮機の前記モータに電源供給を開始し始動させ、前記冷凍機へモータ起動信号及び起動完了信号を出力し、
前記冷凍機の停止後に、引き続き前記モータ起動信号及び／又は前記起動完了信号が出力されている場合は、前記操作盤に異常状態を出力するステップを備える冷凍機システムの制御プログラム。
【発明の詳細な説明】
【技術分野】
【０００１】
本発明は、冷凍機システムの制御装置、冷凍機システム、冷凍機システムの制御方法、及び冷凍機システムの制御プログラムに関するものである。
【背景技術】
【０００２】
ターボ冷凍機などの冷凍機の故障の監視については、様々な方法が開示されている。
例えば、特許文献１には、ターボ冷凍機の動作状況を遠隔監視し、異常を検知するとターボ冷凍機を停止することが開示されている。また、特許文献２には、異常を検知すると保守サービス担当者に通知することが開示されている。
【先行技術文献】
【特許文献】
【０００３】
【特許文献１】特開２００２−９００１１号公報
【特許文献２】特開２００３−２２３５２２号公報
【発明の概要】
【発明が解決しようとする課題】
【０００４】
冷凍機に備えられた圧縮機は、モータが始動することで回転が始まる。このモータの容量が大きいと（例えば１５００ＫＷ等）、モータの始動専用の起動盤と呼ばれる装置を用意する必要がある。モータの始動には高い電圧で大きな電流を流す必要があり、起動盤はこれに見合う電源をモータに供給する装置である。
一般的に、冷凍機と起動盤は同一の制御ロジックで動作するものが使用されるが、冷凍機とは異なる制御ロジックで動作する起動盤が用意される場合もある。この場合、制御ロジックが異なるため、例えば冷凍機が停止要求指令を出力しても起動盤がこの停止要求指令を受け取れない可能性がある。起動盤が停止要求指令を受け取れないと、圧縮機への電源供給を停止できないことから圧縮機が停止できず、ひいては冷凍機が故障に至る虞があった。
上記特許文献１及び２に開示された発明では、上述したような課題については検討されていないため、この課題を解決する手段についても開示されていない。
【０００５】
本発明は、このような事情に鑑みてなされたものであって、冷凍機とは異なる制御ロジックで動作する起動盤を備え、適切に圧縮機を停止させることができる冷凍機システムの制御装置、冷凍機システム、冷凍機システムの制御方法、及び冷凍機システムの制御プログラムを提供することを目的とする。
【課題を解決するための手段】
【０００６】
上記課題を解決するために、本発明の冷凍機システムの制御装置、冷凍機システム、冷凍機システムの制御方法、及び冷凍機システムの制御プログラムは以下の手段を採用する。
本発明の第一態様に係る冷凍機システムの制御装置は、モータにより回転される圧縮機を備える冷凍機と、前記冷凍機に備えられ、該冷凍機の操作及び状態表示を行う操作盤と、前記モータに電源を供給し、該モータを始動する起動盤と、を備えた冷凍機システムの制御装置であって、前記起動盤は、前記冷凍機による起動指令に対し、前記圧縮機の前記モータに電源供給を開始し始動させ、前記冷凍機へモータ起動信号及び起動完了信号を出力し、前記冷凍機の停止後に、引き続き前記モータ起動信号及び／又は前記起動完了信号が出力されている場合は、前記操作盤に異常状態を出力する。
【０００７】
本態様によれば、冷凍機の停止後に、引き続きモータ起動信号及び／又は起動完了信号が出力されている場合は、冷凍機の操作盤に異常状態が出力されることから、冷凍機の停止後に圧縮機が回転を継続していることを外部に通知することができ、オペレータに異常を知らせることができる。通知を受けたオペレータが圧縮機の停止の操作を行うため、適切に圧縮機を停止することができ、冷凍機の故障を防止することができる。
【０００８】
本発明の第二態様に係る冷凍機システムの制御装置は、モータにより回転される圧縮機を備える冷凍機と、前記冷凍機に備えられ、該冷凍機の操作及び状態表示を行う操作盤と、前記モータに電源を供給し、該モータを始動する起動盤と、を備えた冷凍機システムの制御装置であって、前記起動盤は、前記冷凍機による起動指令に対し、前記圧縮機の前記モータに電源供給を開始し始動させ、前記冷凍機へモータ起動信号及び起動完了信号を出力し、前記冷凍機の停止後に、引き続き前記モータ起動信号及び／又は前記起動完了信号が出力されている場合は、前記操作盤から前記起動盤に対して緊急停止指令を出力する。
【０００９】
本態様によれば、冷凍機の停止後に、引き続きモータ起動信号及び／又は起動完了信号が出力されている場合は、冷凍機の操作盤から起動盤に対して緊急停止指令を出力することから、冷凍機の停止後に圧縮機が回転を継続していても起動盤が緊急停止指令を受けて緊急停止することができる。よって、オペレータの操作を介さずに圧縮機を適切に緊急停止することができ、冷凍機の故障を防止することができる。
【００１０】
上記第一態様では、前記冷凍機の停止後に、引き続き前記モータ起動信号及び／又は前記起動完了信号が出力されている場合は、前記操作盤から前記起動盤に対して緊急停止指令を出力するとしてもよい。
【００１１】
本態様によれば、冷凍機の停止後に、引き続きモータ起動信号及び／又は起動完了信号が出力されている場合に、操作盤に異常状態が出力され、かつ、操作盤から起動盤に対して緊急停止指令を出力することから、オペレータに異常を通知しつつ圧縮機を適切に緊急停止することができる。
【００１２】
上記第二態様では、前記緊急停止指令は、メーク信号であるとしてもよい。
【００１３】
例えば緊急停止指令がパルス信号である場合は故障などにより停止のタイミングを逃すと停止できないところ、本態様では緊急停止指令はメーク信号であることから、起動盤が信号を受け取る確度が上がり、より適切に停止することができる。
【００１４】
上記第一または第二態様では、前記冷凍機の停止後に、引き続き前記モータ起動信号及び／又は前記起動完了信号が出力されている場合は、前記圧縮機に接続されている蒸発器に備えられた冷水ポンプ及び凝縮器に備えられた冷却水ポンプの運転を継続するとしてもよい。
【００１５】
本態様によれば、冷凍機の停止後に、引き続きモータ起動信号及び／又は起動完了信号が出力されている場合は、蒸発器に備えられた冷水ポンプ及び凝縮器に備えられた冷却水ポンプの運転を継続することから、冷水を製造せずに蒸発器の熱交換器を凍結から保護することができる。
【００１６】
上記第一態様では、前記冷凍機の停止後に、引き続き前記モータ起動信号及び／又は前記起動完了信号が出力されている場合は、前記圧縮機に備えられ、潤滑油を供給する油ポンプの運転を継続するとしてもよい。
【００１７】
本態様によれば、冷凍機の停止後に、引き続きモータ起動信号及び／又は起動完了信号が出力されている場合は、圧縮機の油ポンプの運転を継続することから、圧縮機の潤滑油不足が発生するのを抑止することができる。これにより、圧縮機を保護することができる。
【００１８】
上記第一態様では、前記冷凍機の停止後に、引き続き前記モータ起動信号及び／又は前記起動完了信号が出力されている場合は、前記冷凍機の冷水出口温度が冷水入口温度と等しくなるように前記圧縮機の冷媒制御弁を制御するとしてもよい。
【００１９】
本態様によれば、冷凍機の停止後に、引き続きモータ起動信号及び／又は起動完了信号が出力されている場合は、冷凍機の冷水出口温度が冷水入口温度と等しくなるように圧縮機の冷媒制御弁を制御することから、圧縮機のモータに冷媒を循環させながら冷水の製造を行わないように冷媒制御弁の制御を継続して、圧縮機のモータの冷却冷媒の不足を防止することができる。
【００２０】
本発明の第三態様に係る冷凍機システムは、前述の冷凍機システムの制御装置を備える。
【００２１】
本発明の第四態様に係る冷凍機システムの制御方法は、モータにより回転される圧縮機を備える冷凍機と、前記冷凍機に備えられ、該冷凍機の操作及び状態表示を行う操作盤と、前記モータに電源を供給し、該モータを始動する起動盤と、を備えた冷凍機システムの制御方法であって、前記起動盤は、前記冷凍機による起動指令に対し、前記圧縮機の前記モータに電源供給を開始し始動させ、前記冷凍機へモータ起動信号及び起動完了信号を出力し、前記冷凍機の停止後に、引き続き前記モータ起動信号及び／又は前記起動完了信号が出力されている場合は、前記操作盤に異常状態を出力する工程を備える。
【００２２】
本発明の第五態様に係る冷凍機システムの制御プログラムは、モータにより回転される圧縮機を備える冷凍機と、前記冷凍機に備えられ、該冷凍機の操作及び状態表示を行う操作盤と、前記モータに電源を供給し、該モータを始動する起動盤と、を備えた冷凍機システムの制御プログラムであって、前記起動盤は、前記冷凍機による起動指令に対し、前記圧縮機の前記モータに電源供給を開始し始動させ、前記冷凍機へモータ起動信号及び起動完了信号を出力し、前記冷凍機の停止後に、引き続き前記モータ起動信号及び／又は前記起動完了信号が出力されている場合は、前記操作盤に異常状態を出力するステップを備える。
【発明の効果】
【００２３】
本発明によれば、冷凍機の停止後の圧縮機の運転状態の監視が行われるので、正常に停止しないことによる圧縮機の損傷を防止し、冷凍機を保護できることにより、安定した運転を行うことができる。
【図面の簡単な説明】
【００２４】
【図１】本発明の第１実施形態に係る冷凍機システムを示した概略構成図である。
【図２】本発明の第１実施形態に係る冷凍機を示した概略構成図である。
【図３】本発明の参考例としての操作盤及び起動盤の通常時の信号及び動作を示したタイムチャートである。
【図４】本発明の参考例としての操作盤及び起動盤の異常時の信号及び動作を示したタイムチャートである。
【図５】本発明の第１実施形態に係る故障状態判定部の制御を示したフローチャートである。
【図６】本発明の第１実施形態に係る本実施形態に係る操作盤及び起動盤の信号及び動作を示したタイムチャートである。
【図７】本発明の第２実施形態に係る故障状態判定部の制御を示したフローチャートである。
【図８】本発明の第２実施形態に係る運転／停止指令及び緊急停止指令、及び参考例としてのパルス信号を示したタイムチャートである。
【図９】本発明の第２実施形態に係る操作盤及び起動盤の信号及び動作を示したタイムチャートである。
【図１０】本発明の第３実施形態に係る故障状態判定部の制御を示したフローチャートである。
【発明を実施するための形態】
【００２５】
以下に、本発明に係る冷凍機システムの制御装置、冷凍機システム、冷凍機システムの制御方法、及び冷凍機システムの制御プログラムの一実施形態について、図面を参照して説明する。
【００２６】
〔第１実施形態〕
以下、本発明の第１実施形態について、図１乃至６を用いて説明する。
図１には、本実施形態に係る冷凍機システムの制御装置、冷凍機システム、冷凍機システムの制御方法、及び冷凍機システムの制御プログラムの概略構成が示されている。
図１に示されるように、冷凍機システム１は、ターボ冷凍機（冷凍機）１１と、起動盤１０と、冷凍機制御装置５０とを主な構成として備えている。
ターボ冷凍機１１は、操作盤２０と、モータ７２によって回転する圧縮機６０とを備えている。
【００２７】
図２には、本実施形態に係る冷凍機の概略構成が示されている。
図２に示されるように、ターボ冷凍機１１は、空調機やファンコイル等の外部負荷８６に供給する冷水に対して冷熱を与える。ターボ冷凍機１１は、冷媒を圧縮する圧縮機６０と、圧縮機６０によって圧縮された高温高圧のガス冷媒を凝縮する凝縮器６２と、凝縮器６２にて凝縮された液冷媒に対して過冷却を与えるサブクーラ６３と、サブクーラ６３からの液冷媒を膨張させる高圧膨張弁６４と、高圧膨張弁６４に接続されるとともに圧縮機６０の中間段および低圧膨張弁６５に接続される中間冷却器６７と、低圧膨張弁６５によって膨張させられた液冷媒を蒸発させる蒸発器６６とを備えている。
【００２８】
圧縮機６０は、遠心式の２段圧縮機であり、回転数一定で駆動する固定速機である。なお、図２では固定速機を例示しているが、インバータによって回転数が可変制御される圧縮機を用いることとしてもよい。圧縮機６０の冷媒吸入口には、吸入冷媒流量を制御するインレットガイドベーン（以下「ＩＧＶ」という。）７６が設けられており、ターボ冷凍機１１の容量制御が可能となっている。
【００２９】
凝縮器６２には、凝縮冷媒圧力を計測するための凝縮冷媒圧力センサＰＣが設けられている。サブクーラ６３は、凝縮器６２の冷媒流れ下流側に、凝縮された冷媒に対して過冷却を与えるように設けられている。
凝縮器６２及びサブクーラ６３には、これらを冷却するための冷却水配管８０が設置されている。この冷却水配管８０は冷却塔８３に接続されており、冷却水配管８０を介して、凝縮器６２、冷却塔８３、及びサブクーラ６３の間を冷却水が循環する。循環する冷却水は、凝縮器６２において冷媒から凝縮熱（排熱）を吸熱し、冷却塔８３において放熱した後、再びサブクーラ６３へ送られる。冷却塔８３における放熱は、外気との熱交換によって行われる。このように、冷却塔８３によって、凝縮器６２において冷媒が凝縮する際に放出する排熱が除去されるようになっている。冷却水配管８０を流れる冷却水は、冷却水配管８０に設置された冷却水ポンプ８４によって圧送される。冷却水ポンプ８４は、図示しない冷却水ポンプ用インバータモータによって駆動される。これにより、回転数を可変とすることにより、冷却水ポンプ８４の吐出流量を可変に制御できるようになっている。
【００３０】
蒸発器６６において吸熱されることによって定格温度の冷水が得られる。すなわち、蒸発器６６内に挿通された冷水配管８２内を流れる冷水は、冷媒に熱が奪われることにより冷やされる。冷水配管８２を流れる冷水は、冷水配管８２に設置された冷水ポンプ８５によって圧送される。冷水ポンプ８５は、図示しない冷水ポンプ用インバータモータによって駆動される。これにより、回転数を可変とすることにより、冷水ポンプ８５の吐出流量を可変に制御できるようになっている。
冷水入口温度は冷水配管８２の蒸発器６６入口近傍に設置された温度センサTinによって計測され、冷水出口温度は、冷水配管８２の蒸発器６６出口近傍に設けた温度センサToutによって計測される。
【００３１】
凝縮器６２の気相部と蒸発器６６の気相部との間には、ホットガスバイパス管７９が設けられている。そして、ホットガスバイパス管７９内を流れる冷媒の流量を制御するためのホットガスバイパス弁７８が設けられている。ホットガスバイパス弁７８によってホットガスバイパス流量を調整することにより、ＩＧＶ７６では制御が十分でない非常に小さな領域の容量制御が可能となっている。
図２において、各種センサによって計測された計測値は、冷凍機制御装置（制御装置）５０へ送信される。また、冷凍機制御装置５０は、ＩＧＶ７６及びホットガスバイパス弁７８の弁開度の制御を行う。
【００３２】
図１に示したターボ冷凍機１１では、凝縮器６２及びサブクーラ６３を設け、冷却塔８３において外部へと排熱した冷却水と冷媒との間で熱交換を行い、冷却水を温める場合について述べたが、例えば、凝縮器６２及びサブクーラ６３に代えて空気熱交換器を配置し、空気熱交換器において外気と冷媒との間で熱交換を行うような構成としてもよい。また、ターボ冷凍機１１は、上述した冷房機能のみを有する場合に限定されず、例えば、暖房機能のみ、或いは、冷房機能及び暖房機能の両方を有しているものであってもよい。また、冷媒と熱交換される媒体は、水でも空気でもよい。
【００３３】
冷凍機制御装置５０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３４】
次に、参考例としての操作盤及び起動盤の信号及び動作について図３及び４を用いて説明する。
図３には、参考例としての操作盤及び起動盤の通常時の信号及び動作がタイムチャートに示されている。また図４には、参考例としての操作盤及び起動盤の異常時の信号及び動作がタイムチャートに示されている。
【００３５】
図３に基づき、参考例としての操作盤及び起動盤の通常時の信号及び動作について説明する。
図３の時間ｔ２において、オペレータが操作盤２０を操作してターボ冷凍機１１の運転を開始する。時間ｔ４において、操作盤２０から起動盤１０に対し圧縮機６０の起動指示が出力され、これを受けた起動盤１０は操作盤２０に対し起動アンサー（モータ起動信号）を出力し、モータ７２を始動するために電源供給を開始する。
モータ７２には、誘導電動機が用いられており、そのため起動直後は商用電源の周波数よりもゆっくり回転する。電源の供給継続によって商用電源の周波数に近づき一定時間経過したことをモータ７２の起動完了とし、起動盤１０は操作盤２０に対し起動完了信号を出力する（時間ｔ５）。ここで一定時間とは、例えば５〜１５秒である。
運転を継続し、時間ｔ１６においてオペレータが操作盤２０を操作してターボ冷凍機１１の運転を停止する。これに伴い、圧縮機起動指示は停止し、これに応じて起動盤１０の起動アンサー及び起動完了信号も停止し、モータ７２への電源供給が停止される。
このように、通常時は、操作盤２０からの信号に応じて、起動盤１０からのモータ７２への電源供給が停止されるため、圧縮機６０が停止し、ターボ冷凍機１１が正常に停止する。
【００３６】
次に、図４に基づき、参考例としての操作盤及び起動盤の異常時の信号及び動作について説明する。ここで異常時とは、ターボ冷凍機１１からの停止要求の出力を、起動盤１０が受け取れない場合である。
図４において、開始処理は図３と同じであるので省略する。
運転を継続し、時間ｔ１６においてオペレータが操作盤２０を操作してターボ冷凍機１１の運転を停止する。これに伴い、圧縮機起動指示は停止する。圧縮機起動指示の停止は、すなわちターボ冷凍機１１からの停止要求の出力であるが、起動盤１０がこの停止要求を受け取れないため、起動盤１０の起動アンサー及び起動完了信号は停止せず、モータ７２への電源供給が継続される。
このように、ターボ冷凍機１１と起動盤１０との間で制御ロジックが異なる場合、起動盤１０からのモータ７２への電源供給が継続され、圧縮機６０も回転が継続され、ターボ冷凍機１１が停止せず、ひいては圧縮機６０やターボ冷凍機１１の故障に至る可能性がある。
【００３７】
そこで本実施形態では、圧縮機起動指示の停止中の起動アンサー及び／又は起動完了信号の出力状態を異常と判断し、故障状態を出力する。
本実施形態における制御、及び操作盤及び起動盤の信号及び動作について図５及び６を用いて説明する。
図５には、本実施形態に係る故障状態判定部の制御がフローチャートに示されている。
故障状態判定部５１は、ステップＳ５０１において、操作盤２０にて圧縮機起動指示が停止されているか否かを判定する。停止されていると判定された場合はステップＳ５０２へ、停止されていない、すなわち圧縮機６０は運転中であると判定された場合はステップＳ５０１へ戻る。
圧縮機起動指示が停止されていると判定された場合は、起動盤１０の起動アンサー及び／又は起動完了信号が停止されているか否かを判定する（Ｓ５０２）。停止されていると判定された場合は処理を終了し、停止されていないと判定された場合はステップＳ５０３へ遷移する。
起動アンサー及び／又は起動完了信号が停止されていないと判定された場合は、操作盤２０ではターボ冷凍機１１を停止したにもかかわらず起動盤１０が停止せず圧縮機６０も運転し続けていることから異常であると判断し、操作盤２０は故障状態を出力する（Ｓ５０３）。ここで、故障状態の出力としては、例えば故障の状態をディスプレイに表示する、ブザー音を鳴らす、メッセージを発報する等の様々な方法を採ることができる。また、冷凍機システム１の監視設備へ状態を出力するとしてもよい。
【００３８】
図６には、本実施形態に係る操作盤及び起動盤の信号及び動作がタイムチャートに示されている。
図６の時間ｔ２において、オペレータが操作盤２０を操作してターボ冷凍機１１の運転を開始する。時間ｔ４において、操作盤２０から起動盤１０に対し圧縮機６０の起動指示が出力され、これを受けた起動盤１０は操作盤２０に対し起動アンサー（モータ起動信号）を出力し、モータ７２を始動するために電源供給を開始する。モータ７２が起動完了となると、起動盤１０は操作盤２０に対し起動完了信号を出力する（時間ｔ５）。
運転を継続し、時間ｔ１６においてオペレータが操作盤２０を操作してターボ冷凍機１１の運転を停止する。これに伴い、圧縮機起動指示は停止する。圧縮機起動指示の停止は、すなわちターボ冷凍機１１からの停止要求の出力であるが、起動盤１０がこの停止要求を受け取れない場合、起動盤１０の起動アンサー及び起動完了信号は停止せず、モータ７２への電源供給が継続される。
冷凍機制御装置５０の故障状態判定部５１は、図５に示された制御により、起動アンサー及び／又は起動完了信号が停止されていないと判定し、操作盤２０が故障状態を出力するよう制御を行う（時間ｔ１６）。
【００３９】
以上、説明してきたように、本実施形態に係る冷凍機システムの制御装置、冷凍機システム、冷凍機システムの制御方法、及び冷凍機システムの制御プログラムによれば、以下の作用効果を奏する。
本実施形態によれば、ターボ冷凍機１１の停止後に、引き続き起動アンサー及び／又は起動完了信号が出力されている場合は、ターボ冷凍機１１の操作盤２０に異常状態が出力されることから、ターボ冷凍機１１の停止後に圧縮機６０が回転を継続していることを外部に通知することができ、オペレータに異常を知らせることができる。通知を受けたオペレータが圧縮機６０が損傷する前に圧縮機６０の停止の操作を行うため、適切に圧縮機６０を停止することができ、ターボ冷凍機１１の故障を防止することができる。
【００４０】
〔第２実施形態〕
以下、本発明の第２実施形態について、図７乃至９を用いて説明する。
上記した第１実施形態では、故障状態を出力するとしたが、本実施形態では、緊急停止指令を出力するものである。その他の点については第１実施形態と同様であるので、同様の構成については同一符号を付しその説明は省略する。
【００４１】
図７には、本実施形態に係る故障状態判定部の制御がフローチャートに示されている。
故障状態判定部５１は、ステップＳ７０１において、操作盤２０にて圧縮機起動指示が停止されているか否かを判定する。停止されていると判定された場合はステップＳ７０２へ、停止されていない、すなわち圧縮機６０は運転中であると判定された場合はステップＳ７０１へ戻る。
圧縮機起動指示が停止されていると判定された場合は、起動盤１０の起動アンサー及び／又は起動完了信号が停止されているか否かを判定する（Ｓ７０２）。停止されていると判定された場合は処理を終了し、停止されていないと判定された場合はステップＳ７０３へ遷移する。
起動アンサー及び／又は起動完了信号が停止されていないと判定された場合は、操作盤２０ではターボ冷凍機１１を停止したにもかかわらず起動盤１０が停止せず圧縮機６０も運転し続けていることから異常であると判断し、操作盤２０は緊急停止指令を行う（Ｓ７０３）。具体的には、起動盤１０に対し緊急停止指令となるメーク信号を出力する。そのため、起動盤１０側は、メーク信号である緊急停止指令を受け取れるように回路を設ける必要がある。
【００４２】
図８には、本実施形態に係る運転／停止指令及び緊急停止指令、及び参考例としてのパルス信号がタイムチャートに示されている。
図８に示されるように、本実施形態に係る操作盤２０の運転／停止指令はメーク信号にて出力される。通常、時間ｔｓで運転／停止指令はＯＮとなり運転が指令され、メーク信号は連続信号であることから運転中はＯＮが継続され、時間ｔｅで運転／停止指令はＯＦＦとなり停止が指令される。
これに対し、参考例としてのパルス信号による指令は、時間ｔｓで運転指令がＯＮとなり、時間ｔｅで停止指令がＯＮとなる。このように、パルス信号は一瞬の信号による指令であり、停止指令のタイミングを逃すとターボ冷凍機１１や圧縮機６０を停止することができない。
そこで、メーク信号による緊急停止指令（トリップ指令）を追加する。時間ｔｅにおいて、運転／停止指令がＯＦＦとなった場合に、図７に示された制御により、起動アンサー及び／又は起動完了信号が停止されていないと判定されると、操作盤２０が圧縮機緊急停止指令を出力し、これを受け取った起動盤１０は緊急停止を行い、圧縮機６０のモータ７２への電源供給を停止する。
【００４３】
図９には、本実施形態に係る操作盤及び起動盤の信号及び動作がタイムチャートに示されている。
図９の時間ｔ２において、オペレータが操作盤２０を操作してターボ冷凍機１１の運転を開始する。時間ｔ４において、操作盤２０から起動盤１０に対し圧縮機６０の起動指示が出力され、これを受けた起動盤１０は操作盤２０に対し起動アンサー（モータ起動信号）を出力し、モータ７２を始動するために電源供給を開始する。モータ７２が起動完了となると、起動盤１０は操作盤２０に対し起動完了信号を出力する（時間ｔ５）。
運転を継続し、時間ｔ１６においてオペレータが操作盤２０を操作してターボ冷凍機１１の運転を停止する。これに伴い、圧縮機起動指示は停止する。圧縮機起動指示の停止は、すなわちターボ冷凍機１１からの停止要求の出力であるが、起動盤１０がこの停止要求を受け取れない場合、起動盤１０の起動アンサー及び起動完了信号は停止せず、モータ７２への電源供給が継続される。
冷凍機制御装置５０の故障状態判定部５１は、図７に示された制御により、起動アンサー及び／又は起動完了信号が停止されていないと判定し、操作盤２０が圧縮機緊急停止指令を出力するよう制御を行う（時間ｔ１６）。これを受け取った起動盤１０は緊急停止を行い、圧縮機６０のモータ７２への電源供給を停止する（時間ｔ１８）。
【００４４】
以上、説明してきたように、本実施形態に係る冷凍機システムの制御装置、冷凍機システム、冷凍機システムの制御方法、及び冷凍機システムの制御プログラムによれば、以下の作用効果を奏する。
本実施形態によれば、ターボ冷凍機１１の停止後に、引き続き起動アンサー及び／又は起動完了信号が出力されている場合は、ターボ冷凍機１１の操作盤２０から起動盤１０に対して緊急停止指令を出力することから、ターボ冷凍機１１の停止後に圧縮機６０が回転を継続していても起動盤１０が緊急停止指令を受けて緊急停止することができる。よって、オペレータの操作を介さずに圧縮機６０を適切に緊急停止することができ、ターボ冷凍機１１の故障を防止することができる。
【００４５】
また例えば緊急停止指令がパルス信号である場合は、故障などによりパルス信号を受け取れず停止のタイミングを逃すと停止できないところ、本実施形態では緊急停止指令を連続信号であるメーク信号とすることから、起動盤１０が信号を受け取る確度が上がり、より適切に停止することができる。
【００４６】
〔第３実施形態〕
以下、本発明の第３実施形態について、図１０を用いて説明する。
上記した第２実施形態では、緊急停止指令を出力するとしたが、本実施形態では、圧縮機保護のための制御を行うものである。その他の点については第２実施形態と同様であるので、同様の構成については同一符号を付しその説明は省略する。
【００４７】
図１０には、本実施形態に係る故障状態判定部の制御がフローチャートに示されている。
故障状態判定部５１は、ステップＳ１０１において、操作盤２０にて圧縮機起動指示が停止されているか否かを判定する。停止されていると判定された場合はステップＳ１０２へ、停止されていない、すなわち圧縮機６０は運転中であると判定された場合はステップＳ１０１へ戻る。
圧縮機起動指示が停止されていると判定された場合は、起動盤１０の起動アンサー及び／又は起動完了信号が停止されているか否かを判定する（Ｓ１０２）。停止されていると判定された場合は処理を終了し、停止されていないと判定された場合はステップＳ１０３へ遷移する。
起動アンサー及び／又は起動完了信号が停止されていないと判定された場合は、操作盤２０ではターボ冷凍機１１を停止したにもかかわらず起動盤１０が停止せず圧縮機６０も運転し続けていることから異常であると判断し、操作盤２０は故障状態を出力する（Ｓ１０３）。
【００４８】
次に、圧縮機６０が運転を継続した場合、冷水を製造せずに圧縮機６０や、その他ターボ冷凍機１１の基幹部品を保護できるように各部の制御を行う。ステップＳ１０４において、圧縮機６０に接続されている蒸発器６６に備えられた冷水ポンプ８５及び凝縮器６２に備えられた冷却水ポンプ８４の運転を継続する。冷水ポンプ８５の運転が継続されると冷水が、冷却水ポンプ８４の運転が継続されると冷却水がそれぞれ循環する。
次に、ステップＳ１０５において、圧縮機６０に備えられ潤滑油を供給する油ポンプ９０の運転を継続する。油ポンプ９０の運転が継続されると、圧縮機の潤滑油が循環される。
次に、ステップＳ１０６において、ターボ冷凍機１１の冷水出口温度が冷水入口温度と等しくなるように圧縮機６０のＩＧＶ７６を制御する。ＩＧＶ７６を上述したように制御することで、冷媒を循環させる一方、冷水製造が行われない。
【００４９】
本実施形態では、ステップＳ１０４乃至Ｓ１０６の全ての制御を行うとしたが、いずれか１つの制御のみを実行してもよく、またいずれかを組み合わせて実行するとしてもよい。
【００５０】
以上、説明してきたように、本実施形態に係る冷凍機システムの制御装置、冷凍機システム、冷凍機システムの制御方法、及び冷凍機システムの制御プログラムによれば、以下の作用効果を奏する。
本実施形態によれば、ターボ冷凍機１１の停止後に、引き続き起動アンサー及び／又は起動完了信号が出力されている場合は、蒸発器６６に備えられた冷水ポンプ８５及び凝縮器６２に備えられた冷却水ポンプ８４の運転を継続することから、冷水を製造せずに蒸発器６６の熱交換器を凍結から保護することができる。
【００５１】
また本実施形態によれば、ターボ冷凍機１１の停止後に、引き続き起動アンサー及び／又は起動完了信号が出力されている場合は、圧縮機６０の油ポンプ９０の運転を継続することから、圧縮機６０の潤滑油不足が発生するのを抑止することができる。これにより、圧縮機６０を保護することができる。
【００５２】
また本実施形態によれば、ターボ冷凍機１１の停止後に、引き続き起動アンサー及び／又は起動完了信号が出力されている場合は、ターボ冷凍機１１の冷水出口温度が冷水入口温度と等しくなるように圧縮機６０のＩＧＶ７６を制御することから、圧縮機６０のモータ７２に冷媒を循環させながら冷水の製造を行わないようにＩＧＶ７６の制御を継続して、圧縮機６０のモータ７２の冷却冷媒の不足を防止することができる。
【００５３】
以上、本発明の各実施形態について図面を参照して詳述してきたが、具体的な構成はこの実施形態に限られるものではなく、本発明の要旨を逸脱しない範囲の設計変更なども含まれる。
【００５４】
上述した各実施形態を組み合わせて実施するとしてもよい。
例えば、第１実施形態及び第２実施形態を組み合わせて実施することで、ターボ冷凍機１１の停止後に、引き続き起動アンサー及び／又は起動完了信号が出力されている場合に、操作盤２０に異常状態が出力され、かつ、操作盤２０から起動盤１０に対して緊急停止指令を出力することから、オペレータに異常を通知しつつ圧縮機６０を適切に緊急停止することができるという効果が得られる。
【符号の説明】
【００５５】
１  冷凍機システム
１０  起動盤
１１  ターボ冷凍機（冷凍機）
２０  操作盤
５０  冷凍機制御装置（制御装置）
６０  圧縮機
７２  モータ
【図１】
2018204817.tif 000003
【図２】
2018204817.tif 000004
【図３】
2018204817.tif 000005
【図４】
2018204817.tif 000006
【図５】
2018204817.tif 000007
【図６】
2018204817.tif 000008
【図７】
2018204817.tif 000009
【図８】
2018204817.tif 000010
【図９】
2018204817.tif 000011
【図１０】
2018204817.tif 000012